(57)【要約】【課題】サイズの違う多種のフラッシュメモリカードを一つのスロットで接続することができるようにケース構造が変更された、多種のフラッシュメモリカードが挿入できる汎用スロットを提供する。【解決手段】スロットの前面に形成された一つの挿入孔を有し、上部空間及び下部空間に区分されるスロットケースと、前記フラッシュメモリカードの挿入及び取出の際、前記挿入孔を開閉するドアと、前記ドアを弾支するスプリング弾性部材と、前記フラッシュメモリカードを前記スロットケースの下部空間に案内する第１挿入ガイド面と、前記第１挿入ガイド面の内側に位置し、前記第１挿入ガイド面を通過したフラッシュメモリカードを案内する第２挿入ガイド面と、前記フラッシュメモリカードを前記スロットケースの上部空間に案内するスライド面と、前記第１及び第２挿入ガイド面又は前記スライド面に沿って挿入されたフラッシュメモリカードがそれぞれ装着される複数の挿入ガイドと、前記複数の挿入ガイドに装着されたフラッシュメモリカードのピンに対応する接点を有する複数の電極とを含んでなる。【選択図】　　　　図８
2004086859.tif 000002
【特許請求の範囲】
【請求項１】
多種のフラッシュメモリカードのいずれかが挿入できるスロットにおいて、
スロットの前面に形成された一つの挿入孔を有し、上部空間及び下部空間に区分されるスロットケースと、
前記フラッシュメモリカードの挿入及び取出の際、前記挿入孔を開閉するドアと、
前記ドアを弾支するスプリング弾性部材と、
前記フラッシュメモリカードを前記スロットケースの上部空間に案内するスライド面と、
前記フラッシュメモリカードを前記スロットケースの下部空間に案内する第１挿入ガイド面及び、前記第１挿入ガイド面の内側に位置し、前記第１挿入ガイド面を通過したフラッシュメモリカードを案内する第２挿入ガイド面を有し、前記第１及び第２挿入ガイド面又は前記スライド面に沿って挿入されたフラッシュメモリカードがそれぞれ装着される複数の挿入ガイドと、
前記複数の挿入ガイドに装着されたフラッシュメモリカードのピンに対応する接点を有する複数の電極とを含んでなることを特徴とする多種のフラッシュメモリカードが挿入できる汎用スロット。
【請求項２】
前記第２挿入ガイド面は、前記第１挿入ガイド面のみを通過したフラッシュメモリカードが前記挿入ガイドに装着されると、それ以上の進入を阻止する挿入阻止面の役割をすることを特徴とする請求項１記載の多種のフラッシュメモリカードが挿入できる汎用スロット。
【請求項３】
前記第２挿入ガイド面の左右空間幅は第１挿入ガイド面の左右空間幅より小さいことを特徴とする請求項１記載の多種のフラッシュメモリカードが挿入できる汎用スロット。
【請求項４】
前記第１及び第２挿入ガイド面は、前記フラッシュメモリカードが挿入される方向に対して内側にラウンド処理されることを特徴とする請求項１記載の多種のフラッシュメモリカードが挿入できる汎用スロット。
【請求項５】
前記スライド面は前記フラッシュメモリカードが挿入される方向に対して上側にラウンド処理されることを特徴とする請求項１記載の多種のフラッシュメモリカードが挿入できる汎用スロット。
【請求項６】
前記スロットケース、第１及び第２ガイド面、スライド面及び複数の挿入ガイドは一体的にモールド成形されることを特徴とする請求項１記載の多種のフラッシュメモリカードが挿入できる汎用スロット。
【請求項７】
前記スロットは、前記スロットケースの下部空間に設けられた挿入ガイドから延長されるように一体的にモールド成形され、挿入されたフラッシュメモリカードを支えるカードホールド部をさらに含むことを特徴とする請求項１記載の多種のフラッシュメモリカードが挿入できる汎用スロット。
【請求項８】
前記スライド面を通過して装着されるフラッシュメモリカードはコンパクトフラッシュカード（ＣｏｍｐａｃｔＦｌａｓｈ　ｃａｒｄ）又はマイクロドライブ（Ｍｉｃｒｏ　Ｄｒｉｖｅ）であることを特徴とする請求項１記載の多種のフラッシュメモリカードが挿入できる汎用スロット。
【請求項９】
前記スライド面を通過して装着されるフラッシュメモリカードはスマートメディアカード（ＳｍａｒｔＭｅｄｉａ　ｃａｒｄ）であることを特徴とする請求項１記載の多種のフラッシュメモリカードが挿入できる汎用スロット。
【請求項１０】
前記第１挿入ガイド面のみを通過して装着されるフラッシュメモリカードはセキュアデジタル（Ｓｅｃｕｒｅ　Ｄｉｇｉｔａｌ）又はマルチメディアカード（ＭｕｌｔｉＭｅｄｉａ　ｃａｒｄ）であることを特徴とする請求項１記載の多種のフラッシュメモリカードが挿入できる汎用スロット。
【請求項１１】
前記第２挿入ガイド面を通過して装着されるフラッシュメモリカードはメモリスティック（Ｍｅｍｏｒｙ　Ｓｔｉｃｋ）であることを特徴とする請求項１記載の多種のフラッシュメモリカードが挿入できる汎用スロット。
【請求項１２】
コンパクトフラッシュカード（ＣｏｍｐａｃｔＦｌａｓｈｃａｒｄ）、マイクロドライブ（Ｍｉｃｒｏ　Ｄｒｉｖｅ）、セキュアデジタル（Ｓｅｃｕｒｅ　Ｄｉｇｉｔａｌ）、マルチメディア（ＭｕｌｔｉＭｅｄｉａｃａｒｄ）又はメモリスティック（Ｍｅｍｏｒｙ　Ｓｔｉｃｋ）を含む５種のフラッシュメモリカードのいずれかが挿入できるスロットにおいて、
スロットの前面に形成された一つの挿入孔を有し、上部空間及び下部空間に区分されるスロットケースと、
前記フラッシュメモリカードのいずれかの挿入及び取出の際、前記挿入孔を開閉するドアと、
前記ドアを弾支するスプリング弾性部材と、
前記フラッシュメモリカードのうち、コンパクトフラッシュカード又はマイクロドライブを前記スロットケースの上部空間に案内するスライド面と、
前記フラッシュメモリカードのうち、セキュアデジタル又はマルチメディアカード、又はメモリスティックを前記スロットケースの下部空間に案内する第１挿入ガイド面及び、前記第１挿入ガイド面の内側に位置し、前記第１挿入ガイド面を通過したメモリスティックを案内する第２挿入ガイド面を有し、前記第１及び第２挿入ガイド面又は前記スライド面に沿って挿入されたフラッシュメモリカードがそれぞれ装着される複数の挿入ガイドと、
前記複数の挿入ガイドに装着されたフラッシュメモリカードのピンに対応する接点を有する複数の電極とを含んでなることを特徴とする５種のフラッシュメモリカードが挿入できる汎用スロット。
【請求項１３】
前記第２挿入ガイド面は、前記第１挿入ガイド面のみを通過したフラッシュメモリカードが前記挿入ガイドに装着されると、それ以上の進入を阻止する挿入阻止面の役割をすることを特徴とする請求項１２記載の５種のフラッシュメモリカードが挿入できる汎用スロット。
【請求項１４】
前記第２挿入ガイド面の左右空間幅は第１挿入ガイド面の左右空間幅より小さいことを特徴とする請求項１２記載の５種のフラッシュメモリカードが挿入できる汎用スロット。
【請求項１５】
前記第１及び第２挿入ガイド面は、前記フラッシュメモリカードが挿入される方向に対して内側にラウンド処理されることを特徴とする請求項１２記載の５種のフラッシュメモリカードが挿入できる汎用スロット。
【請求項１６】
前記スライド面は前記フラッシュメモリカードが挿入される方向に対して上側にラウンド処理されることを特徴とする請求項１２記載の５種のフラッシュメモリカードが挿入できる汎用スロット。
【請求項１７】
前記スロットケース、第１及び第２ガイド面、スライド面及び複数の挿入ガイドは一体的にモールド成形されることを特徴とする請求項１２記載の５種のフラッシュメモリカードが挿入できる汎用スロット。
【請求項１８】
前記スロットは、前記スロットケースの下部空間に設けられた挿入ガイドから延長されるように一体的にモールド成形され、挿入されたフラッシュメモリカードを支えるカードホールド部をさらに含むことを特徴とする請求項１２記載の５種のフラッシュメモリカードが挿入できる汎用スロット。
【請求項１９】
スマートメディアカード（ＳｍａｒｔＭｅｄｉａ　ｃａｒｄ）、セキュアデジタル（Ｓｅｃｕｒｅ　Ｄｉｇｉｔａｌ）、マルチメディア（ＭｕｌｔｉＭｅｄｉａ　ｃａｒｄ）又はメモリスティック（Ｍｅｍｏｒｙ　Ｓｔｉｃｋ）を含む４種のフラッシュメモリカードのいずれかが挿入できるスロットにおいて、
スロットの前面に形成された一つの挿入孔を有し、上部空間及び下部空間に区分されるスロットケースと、
前記フラッシュメモリカードのいずれかの挿入及び取出の際、前記挿入孔を開閉するドアと、
前記ドアを弾支するスプリング弾性部材と、
前記フラッシュメモリカードのうち、スマートメディアカードを前記スロットケースの上部空間に案内するスライド面と、
前記フラッシュメモリカードのうち、セキュアデジタル又はマルチメディアカード、又はメモリスティックを前記スロットケースの下部空間に案内する第１挿入ガイド面及び、前記第１挿入ガイド面の内側に位置し、前記第１挿入ガイド面を通過したメモリスティックを案内する第２挿入ガイド面を有し、前記第１及び第２挿入ガイド面又は前記スライド面に沿って挿入されたフラッシュメモリカードがそれぞれ装着される複数の挿入ガイドと、
前記複数の挿入ガイドに装着されたフラッシュメモリカードのピンに対応する接点を有する複数の電極とを含んでなることを特徴とする４種のフラッシュメモリカードが挿入できる汎用スロット。
【請求項２０】
前記第２挿入ガイド面は、前記第１挿入ガイド面のみを通過したフラッシュメモリカードが前記挿入ガイドに装着されると、それ以上の進入を阻止する挿入阻止面の役割をすることを特徴とする請求項１９記載の４種のフラッシュメモリカードが挿入できる汎用スロット。
【請求項２１】
前記第２挿入ガイド面の左右空間幅は第１挿入ガイド面の左右空間幅より小さいことを特徴とする請求項１９記載の４種のフラッシュメモリカードが挿入できる汎用スロット。
【請求項２２】
前記第１及び第２挿入ガイド面は、前記フラッシュメモリカードが挿入される方向に対して内側にラウンド処理されることを特徴とする請求項１９記載の４種のフラッシュメモリカードが挿入できる汎用スロット。
【請求項２３】
前記スライド面は前記フラッシュメモリカードが挿入される方向に対して上側にラウンド処理されることを特徴とする請求項１９記載の４種のフラッシュメモリカードが挿入できる汎用スロット。
【請求項２４】
前記スロットケース、第１及び第２ガイド面、スライド面及び複数の挿入ガイドは一体的にモールド成形されることを特徴とする請求項１９記載の４種のフラッシュメモリカードが挿入できる汎用スロット。
【請求項２５】
前記スロットは、前記スロットケースの下部空間に設けられた挿入ガイドから延長されるように一体的にモールド成形され、挿入されたフラッシュメモリカードを支えるカードホールド部をさらに含むことを特徴とする請求項１９記載の４種のフラッシュメモリカードが挿入できる汎用スロット。
【発明の詳細な説明】
【０００１】
【発明の属する技術分野】
本発明は多種のフラッシュメモリカードが挿入できる汎用スロットに関し、より詳しくは、それぞれサイズの違う多種のフラッシュメモリカードを一つのスロットに収容できるようにケースの構造を変更した、多種のフラッシュメモリカードが挿入できる汎用スロットに関するものである。
【０００２】
【従来の技術】
一般に、フラッシュメモリ（Ｆｌａｓｈ　ｍｅｍｏｒｙ）とは、半導体記憶素子であるＥＰＲＯＭとＥＥＰＲＯＭの技術の長所を組み合わせて開発したＦｌａｓｈ　ＥＥＰＲＯＭをいい、電気的にデータの消去及びプログラムができる高集積非揮発性記憶素子である。
この種のフラッシュメモリカードを使うためには、生活家電製品のほかにも個人用コンピュータをプラットフォームとする記憶装置が必要である。近年、フラッシュメモリ基盤の各種記憶装置が開発されるにしたがい、デジタルカメラ、ＭＰ３プレーヤ、ＰＤＡ、プリンタ、キーボードなど、このようなフラッシュメモリを採用したいろいろの応用製品が市販されている。
このようなフラッシュメモリカードは現在およそ６種のものが市販されている。これらはみなフラッシュメモリに基づくメモリ装置であるにもかかわらず、その形状及びサイズがそれぞれ違う。また、それぞれのフラッシュメモリカードを内蔵する技術も相違し、それぞれ自分なりの市場を開拓している。しかし、現在の市場状況においてはフラッシュメモリカードの標準化は実現可能性が低いし、デジタルカメラ、ＭＰ３プレーヤ、ＰＤＡなどの製品はこれら各種フラッシュメモリカードをそれぞれ選択して採用している。
【０００３】
このような多種のフラッシュメモリカードに対応して使用できる製品に対する欲求が高くなっているのが現状であるが、これら多種のフラッシュメモリカードに対応するためには、これらフラッシュメモリカードの種類の数に対応する数のスロットを備えなければならない。したがって、各種フラッシュメモリカードのピンの数、ピン接点の位置、フラッシュメモリカードのサイズ及び厚さなどが相違するため、製品の小型化にも限界がある。
【０００４】
以下、図１及び図２に基づき、従来技術によるいろいろのフラッシュメモリカードを対応スロットに挿入する例について説明する。
図１及び図２は従来技術による多種のフラッシュメモリカードをそれぞれの専用スロットに挿入する例を示すもので、図１は５種のフラッシュメモリカードを三つのスロットに挿入する例を示し、図２は４種のフラッシュメモリカードを三つのスロットに挿入する例を示している。
【０００５】
図１に示すように、メモリスティック（Ｍｅｍｏｒｙ　Ｓｔｉｃｋ）１７、コンパクトフラッシュカード（ＣｏｍｐａｃｔＦｌａｓｈ　ｃａｒｄ）又はマイクロドライブ（Ｍｉｃｒｏ　Ｄｒｉｖｅ）１８、及びセキュアデジタル（Ｓｅｃｕｒｅ　Ｄｉｇｉｔａｌ）又はマルチメディアカード（ＭｕｌｔｉＭｅｄｉａ　ｃａｒｄ）１９は、記憶装置のプリント基板１０の上部にそれぞれ設けられたメモリスティック用スロット１１、コンパクトフラッシュカード又はマイクロドライブ用スロット１２、及びセキュアデジタル又はマルチメディアカード用スロット１３のカード挿入孔１４、１５、１６に挿入される。ここで、前記コンパクトフラッシュカード又はマイクロドライブ１８は一つのスロットに挿入でき、かつ前記セキュアデジタルカード又はマルチメディアカード１９も一つのスロットに挿入できる。
【０００６】
図２に示すように、メモリスティック（Ｍｅｍｏｒｙ　Ｓｔｉｃｋ）４７、スマートメディアカード（ＳｍａｒｔＭｅｄｉａ　ｃａｒｄ）４８、及びセキュアデジタル（Ｓｅｃｕｒｅ　Ｄｉｇｉｔａｌ）又はマルチメディアカード（ＭｕｌｔｉＭｅｄｉａ　ｃａｒｄ）４９は、記憶装置のプリント基板４０の上部にそれぞれ設けられたメモリスティック用スロット４１、スマートメディアカード用スロット４２、及びセキュアデジタル又はマルチメディアカード用スロット４３のカード挿入孔４４、４５、４６に挿入される。前記セキュアデジタルカード及びマルチメディアカード４９は一つのスロットに挿入できる。ところが、図１のコンパクトフラッシュカード又はマイクロドライブ１８と、図２のスマートメディアカード４８はその形状及びサイズが相違するため、それぞれ違うスロットに挿入しなければならない。
【０００７】
言い換えれば、現在市販されている６種のフラッシュメモリカードを使用するためには少なくとも四つのスロットを備えなければならない。このように、メモリスティックはメモリスティック用スロットを、コンパクトフラッシュカード又はマイクロドライブはコンパクトカード又はマイクロドライブ用スロットを、セキュアデジタル又はマルチメディアカードはセキュアデジタル又はマルチメディアカード用スロットを、スマートメディアカードはスマートメディアカード用スロットをそれぞれ装着しなければ、当該フラッシュメモリカードを用いてデータを書き込むか読み取るフラッシュメモリ基盤の記憶装置を具現することができない。
【０００８】
［特許文献１］には小形メモリカードコネクタが開示されている。具体的に、この公開特許は、小形メモリカードをスロットからケーシング内に挿入して自由に接続できるように構成された小形メモリカードコネクタにおいて、端子の位置が違う多数の小形メモリカードをそれぞれ接続するための端子部を前記ケーシング内に設け、このケーシング内に挿入された小形メモリカードを種類別に検出する検出手段を設け、この検出手段で検出した検出結果によって、前記小形メモリカードを所定端子部に位置させるストッパーを設けた小形メモリカードコネクタを開示している。
【０００９】
しかし、前記［特許文献１］は、幅を検出するスイッチと厚さを検出するスイッチとからなる検出手段を設けなければ、実質的に任意のメモリカードを認識しにくいという問題点がある。また、これらスイッチの検出結果によってメモリカードの位置を決定するストッパーを必ず設けなければならず、前記挿入されたメモリカードを所定位置に停止させるため、検出手段の検出結果に応じて突出するか又は押し込まれるようになっている。前記ストッパーは固定されたものではなく、フラッシュメモリカードに挿入によって動くようになっているので、構造的に複雑であるだけでなく、動作に制限を受ける。すなわち、前記ストッパーは、長細いフラッシュメモリカードが挿入されると側面に押し込まれ、そのフラッシュメモリカードが取り出されると再び突出する構造を有する。したがって、前記ストッパーはフラッシュメモリカードの挿入に応じて動くため、故障のおそれが高く、ストッパーのスロット内部への設置が複雑であり、前記ストッパーの故障が発生すると、前記メモリカードの挿入が不可能になる問題点がある。
【００１０】
【特許文献１】
特開２００２−１５８０６８号公報、２０００年１１月１７日出願
【００１１】
【発明が解決しようとする課題】
したがって、本発明は前記のような問題点を解決するためのもので、その目的は、多種のフラッシュメモリカードのいずれかを一つのスロットに挿入できるようにした汎用スロットを提供することにある。
本発明のほかの目的は、ガイド又はスライドが設けられた、簡単なスロットケースの構造変更により、多種のフラッシュメモリカードのいずれかが堅く装着できる、多種のフラッシュメモリカードが挿入できる汎用スロットを提供することにある。
【００１２】
【課題を解決するための手段】
前記目的を達成するため、本発明は、多種のフラッシュメモリカードのいずれかが挿入できるスロットにおいて、スロットの前面に形成された一つの挿入孔を有し、上部空間及び下部空間に区分されるスロットケースと、前記フラッシュメモリカードの挿入及び取出の際、前記挿入孔を開閉するドアと、前記ドアを弾支するスプリング弾性部材と、前記フラッシュメモリカードを前記スロットケースの上部空間に案内するスライド面と、　前記フラッシュメモリカードを前記スロットケースの下部空間に案内する第１挿入ガイド面及び、前記第１挿入ガイド面の内側に位置し、前記第１挿入ガイド面を通過したフラッシュメモリカードを案内する第２挿入ガイド面を有し、前記第１及び第２挿入ガイド面又は前記スライド面に沿って挿入されたフラッシュメモリカードがそれぞれ装着される複数の挿入ガイドと、前記複数の挿入ガイドに装着されたフラッシュメモリカードのピンに対応する接点を有する複数の電極とを含んでなる多種のフラッシュメモリカードが挿入できる汎用スロットを提供する。
【００１３】
ここで、前記第２挿入ガイド面は、前記第１挿入ガイド面のみを通過したフラッシュメモリカードが前記挿入ガイドに装着されると、それ以上の進入を阻止する挿入阻止面の役割をすることが好ましい。
前記第２挿入ガイド面の左右空間幅は第１挿入ガイド面の左右空間幅より小さいことが好ましい。
前記第１及び第２挿入ガイド面は、前記フラッシュメモリカードが挿入される方向に対して内側にラウンド処理され、前記スライド面は前記フラッシュメモリカードが挿入される方向に対して上側にラウンド処理されることが好ましい。
前記スロットケース、第１及び第２ガイド面、スライド面及び複数の挿入ガイドは一体的にモールド成形されることが好ましい。
【００１４】
前記スロットは、前記スロットケースの下部空間に設けられた挿入ガイドから延長されるように一体的にモールド成形され、挿入されたフラッシュメモリカードを支えるカードホールド部をさらに含むことが好ましい。
前記スライド面を通過して装着されるフラッシュメモリカードはコンパクトフラッシュカード（ＣｏｍｐａｃｔＦｌａｓｈ　ｃａｒｄ）又はマイクロドライブ（Ｍｉｃｒｏ　Ｄｒｉｖｅ）であることが好ましい。
前記スライド面を通過して装着されるフラッシュメモリカードはスマートメディアカード（ＳｍａｒｔＭｅｄｉａ　ｃａｒｄ）であることが好ましい。
前記第１挿入ガイド面のみを通過して装着されるフラッシュメモリカードはセキュアデジタル（Ｓｅｃｕｒｅ　Ｄｉｇｉｔａｌ）又はマルチメディアカード（ＭｕｌｔｉＭｅｄｉａ　ｃａｒｄ）であることが好ましい。
前記第２挿入ガイド面を通過して装着されるフラッシュメモリカードはメモリスティック（Ｍｅｍｏｒｙ　Ｓｔｉｃｋ）であることが好ましい。
【００１５】
また、前記目的を達成するため、本発明は、コンパクトフラッシュカード（ＣｏｍｐａｃｔＦｌａｓｈ　ｃａｒｄ）、マイクロドライブ（Ｍｉｃｒｏ　Ｄｒｉｖｅ）、セキュアデジタル（Ｓｅｃｕｒｅ　Ｄｉｇｉｔａｌ）、マルチメディア（ＭｕｌｔｉＭｅｄｉａ　ｃａｒｄ）又はメモリスティック（Ｍｅｍｏｒｙ　Ｓｔｉｃｋ）を含む５種のフラッシュメモリカードのいずれかが挿入できるスロットにおいて、スロットの前面に形成された一つの挿入孔を有し、上部空間及び下部空間に区分されるスロットケースと、前記フラッシュメモリカードのいずれかの挿入及び取出の際、前記挿入孔を開閉するドアと、前記ドアを弾支するスプリング弾性部材と、前記フラッシュメモリカードのうち、コンパクトフラッシュカード又はマイクロドライブを前記スロットケースの上部空間に案内するスライド面と、　前記フラッシュメモリカードのうち、セキュアデジタル又はマルチメディアカード、又はメモリスティックを前記スロットケースの下部空間に案内する第１挿入ガイド面及び、前記第１挿入ガイド面の内側に位置し、前記第１挿入ガイド面を通過したメモリスティックを案内する第２挿入ガイド面を有し、前記第１及び第２挿入ガイド面又は前記スライド面に沿って挿入されたフラッシュメモリカードがそれぞれ装着される複数の挿入ガイドと、前記複数の挿入ガイドに装着されたフラッシュメモリカードのピンに対応する接点を有する複数の電極とを含んでなる５種のフラッシュメモリカードが挿入できる汎用スロットを提供する。
【００１６】
また、前記目的を達成するため、本発明は、スマートメディアカード（ＳｍａｒｔＭｅｄｉａ　ｃａｒｄ）、セキュアデジタル（Ｓｅｃｕｒｅ　Ｄｉｇｉｔａｌ）、マルチメディア（ＭｕｌｔｉＭｅｄｉａ　ｃａｒｄ）又はメモリスティック（Ｍｅｍｏｒｙ　Ｓｔｉｃｋ）を含む４種のフラッシュメモリカードのいずれかが挿入できるスロットにおいて、スロットの前面に形成された一つの挿入孔を有し、上部空間及び下部空間に区分されるスロットケースと、前記フラッシュメモリカードのいずれかの挿入及び取出の際、前記挿入孔を開閉するドアと、前記ドアを弾支するスプリング弾性部材と、前記フラッシュメモリカードのうち、スマートメディアカードを前記スロットケースの上部空間に案内するスライド面と、前記フラッシュメモリカードのうち、セキュアデジタル又はマルチメディアカード、又はメモリスティックを前記スロットケースの下部空間に案内する第１挿入ガイド面及び、前記第１挿入ガイド面の内側に位置し、前記第１挿入ガイド面を通過したメモリスティックを案内する第２挿入ガイド面を有し、前記第１及び第２挿入ガイド面又は前記スライド面に沿って挿入されたフラッシュメモリカードがそれぞれ装着される複数の挿入ガイドと、前記複数の挿入ガイドに装着されたフラッシュメモリカードのピンに対応する接点を有する複数の電極とを含んでなる４種のフラッシュメモリカードが挿入できる汎用スロットを提供する。
【００１７】
したがって、本発明は、スマートメディアカード、メモリスティック、セキュアデジタル、マルチメディアカードを含む４種のフラッシュカードを一つの汎用スロットで接続するか、又はコンパクトフラッシュカード又はマイクロドライブ、メモリスティック、セキュアデジタル、マルチメディアカードを含む５種のフラッシュメモリカードを一つの汎用スロットで接続することができる。本発明によると、多数のスロットを用いて接続してきた多種のフラッシュメモリカードを一つの汎用スロットのみで接続することができるので、一つの汎用のみによっても同一機能及び性能を有し、よって製品の小型化及び製造費の面で有利である。
【００１８】
【発明の実施の形態】
以下、添付図面に基づき、本発明の実施例による、多種のフラッシュメモリカードが挿入できる汎用スロットについて説明する。
【００１９】
本発明は、サイズの違ういろいろのフラッシュメモリカードを装着するためのスロットであるが、前面部に一定大きさの一つの挿入孔のみが設けられる。本発明の汎用スロットは一つのドアと、上下側電極と、多種のフラッシュメモリカードの挿入のためのガイド面と、フラッシュメモリカードの挿入誘導のためのスライド面とを有する。
本発明は、プリント基板上に装着されるスロットケースの前面に一つの挿入孔が設けられ、これにドアがスプリングとともに装着される。このようなドア及びスプリングの構造は通常の３．５インチフロッピーディスクドライブのドア及びスプリングに似ている。
【００２０】
したがって、いろいろのフラッシュメモリカードが挿入されるとき、そのフラッシュメモリカードがドアを押しながら挿入され、このフラッシュメモリカードが取り出されるとき、スプリングによりドアが閉じる。前記ドアにはスプリングが設けられているため、前記フラッシュメモリカードが挿入されるとき、スプリングの弾性力でフラッシュメモリカードを押圧するので、フラッシュメモリカードが安定にかつ正確に挿入されるようにする役目もする。そこで、スロットケースの挿入孔より小さい断面のフラッシュメモリカードが挿入される場合にも、フラッシュメモリカードが安定にかつ正確に挿入及び装着できるようにする。
【００２１】
第１実施例
以下、図３ないし図８に基づき、本発明の第１実施例による５種のフラッシュメモリカードが挿入できる汎用スロットについて説明する。
【００２２】
図３は本発明の第１実施例による５種のフラッシュメモリカードが本発明の汎用スロットに挿入される例を示すものであり、図４は本発明の第１実施例による汎用スロットの左側面図及び右側面図である。
図３及び図４に示すように、本発明による汎用スロットは、三つのサイズ、実質的には５種のフラッシュメモリカード１７、１８、１９が一つの挿入孔にドア２２を通じて挿入される。前記汎用スロットは図４のように固定される。ここで、図面符号２４ａ及び２４ｂは半田付けのための端子であり、２３ａないし２３ｄは支持部で、前記汎用スロットをプリント基板に固定させる役割をする。
【００２３】
図５及び図６は本発明の第１実施例による多種のフラッシュメモリカードが挿入できる汎用スロットの上面及び下面を示すものであり、図７はドアが除去された状態の正面図である。
【００２４】
図５ないし図７に示すように、本発明の第１実施例による、メモリスティック１７、コンパクトフラッシュカード又はマイクロドライブ１８、及びセキュアデジタル又はマルチメディアカード１９を含む５種のフラッシュメモリカードのいずれかが挿入できる汎用スロットは、スロットの前面に形成された一つの挿入孔を有し、上部空間及び下部空間に区分されるスロットケース２１と、前記フラッシュメモリカード１７、１８、１９のいずれかの挿入及び取出の際、前記挿入孔を開閉するドア２２と、前記ドアを弾支するスプリング２７と、前記フラッシュメモリカード１７、１８、１９のうち、メモリスティック１７、又はセキュアデジタル又はマルチメディアカード１９を前記スロットケース２１の下部空間に案内する第１挿入ガイド面３１と、前記第１挿入ガイド面３１の内側に位置し、前記第１挿入ガイド面を通過したメモリスティックを案内する第２挿入ガイド面３４と、前記フラッシュメモリカード１７、１８、１９のうち、コンパクトフラッシュカード又はマイクロドライブ１８を前記スロットケース２１の上部空間に案内するスライド面３２と、前記第１及び第２挿入ガイド面３１、３４又は前記スライド面３２に沿って挿入されたフラッシュメモリカード１７、１８、１９がそれぞれ装着される複数の挿入ガイド２８、３３、３５と、前記複数の挿入ガイド２８、３３、３５に装着されたフラッシュメモリカード１７、１８、１９のピンに対応する接点２６ｂ、２６ｃを有する複数の電極２５ａ、２５ｂ、２５ｃとを含んでなる。
【００２５】
前記第２挿入ガイド面３４は、前記第１挿入ガイド面３１のみを通過したフラッシュメモリカード１７、１９が前記挿入ガイド３３に装着されると、それ以上の進入を阻止する挿入阻止面の役割をする。
また、前記第２挿入ガイド面３４の左右空間幅は第１挿入ガイド面３１の左右空間幅よりは小さくなければならない。すなわち、セキュアデジタル又はマルチメディアカード１９が装着される第１挿入ガイド面３１の左右空間幅（２４．３ｍｍ）はメモリスティック１７が装着される第２挿入ガイド面３４の左右空間幅（２１．７５ｍｍ）よりは長い構造になっている。
また、前記第１及び第２挿入ガイド面３１、３４は前記フラッシュメモリカード１７、１９が挿入される方向に対して内側にラウンド処理され、前記スライド面３２は前記フラッシュメモリカード１８が挿入される方向に対して上側にラウンド処理される。
前記スロットケース２１、第１及び第２ガイド面３１、３４、スライド面３２及び複数の挿入ガイド２８、３３、３５は一体的にモールド成形される。
また、前記スロットは、前記スロットケース２１の下部空間に設けられた挿入ガイド３３、３５から延長されるように一体的にモールド成形され、挿入されたフラッシュメモリカード１７、１９を支えるカードホールド部をさらに含むことができる。
ここで、未説明符号２４ａ、２４ｂ及び２９は半田付けのための端子である。
【００２６】
前記コンパクトフラッシュカード又はマイクロドライブ１８の幅は４３．１ｍｍ、厚さは３．６ｍｍであり、セキュアデジタル又はマルチメディアカード１９の幅は２４．３ｍｍ、厚さは２．４ｍｍである。また、メモリスティック１７の幅は２１．７５ｍｍ、厚さは３．１ｍｍであるので、本発明による汎用スロットはこのようなフラッシュメモリカードのサイズに鑑みて製作される。
【００２７】
図８は本発明の第１実施例によるフラッシュメモリカード用スロットの内部断面図である。図８に基づき、各フラッシュメモリカードが装着される動作を説明する。
まず、比較的小さいセキュアデジタル又はマルチメディアカード１９が挿入される場合を説明する。前記フラッシュメモリカード１９の挿入に際して、スロットの前面の挿入孔の中央から左右側に偏って挿入されても、正確に中央に挿入できるように、第１挿入ガイド面３１が前記フラッシュメモリカード１９を案内することになる。
その後、第１挿入ガイド３３に正確に挿入されると、阻止面である第２ガイド面３４で止まり、カードホールド部により、離脱されないように挿入状態が維持される。そして、第１接点２６ｃに前記フラッシュメモリカード１９の電極２５ｃが接触して前記フラッシュメモリカード１９の接続が完了する。
【００２８】
一方、メモリスティック１７が挿入される場合は、前述したように、第１挿入ガイド３３に沿って挿入された後、第２ガイド面３４の案内により第２挿入ガイド３５に沿って挿入される。挿入が完了すると、接点２６ｂにメモリスティック１７の電極が接続される。
前記コンパクトフラッシュカード又はマイクロドライブ１８はほかのフラッシュメモリカード１７、１９に比べて幅が大きいため、カードの挿入時に第１挿入ガイド面３１に沿って挿入されなく、スライド面３２に沿って上昇し、上部空間３６に挿入される。前記コンパクトフラッシュカード又はマイクロドライブ１８の挿入が完了すると、接点に電極２５ａが接続される。
【００２９】
第２実施例
以下、図９ないし図１３に基づき、本発明の第２実施例による４種のフラッシュメモリカードが挿入できる汎用スロットについて説明する。
図９は本発明の第２実施例による４種のフラッシュメモリカードが本発明の汎用スロットに挿入される例を示すものであり、図１０は本発明の第２実施例による汎用スロットの左側面図及び右側面図である。
【００３０】
図９及び図１０に示すように、本発明による汎用スロットは、三つのサイズ、実質的には４種のフラッシュメモリカード４７、４８、４９が一つの挿入孔にドア５２を通じて挿入される。前記汎用スロットは図１０のように固定される。ここで、図面符号５４ａ及び５４ｂは半田付けのための端子であり、５３ａないし図５３ｄは支持部で、前記汎用スロットをプリント基板に固定させる役割をする。
【００３１】
図１１は本発明の第２実施例による多種のフラッシュメモリカードが挿入できる汎用スロットの上面を示すものであり、図１２はドアが除去された状態の正面図である。
【００３２】
図１１ないし図１２に示すように、本発明の第２実施例による、メモリスティック４７、コンパクトフラッシュカード又はマイクロドライブ４８、及びセキュアデジタル又はマルチメディアカード４９を含む４種のフラッシュメモリカードのいずれかが挿入できる汎用スロットは、スロットの前面に形成された一つの挿入孔を有し、上部空間及び下部空間に区分されるスロットケース５１と、前記フラッシュメモリカード４７、４８、４９のいずれかの挿入及び取出の際、前記挿入孔を開閉するドア５２と、前記ドアを弾支するスプリング５７と、前記フラッシュメモリカード４７、４８、４９のうち、メモリスティック１７、又はセキュアデジタル又はマルチメディアカード１９を前記スロットケース５１の下部空間に案内する第１挿入ガイド面６１と、前記第１挿入ガイド面６１の内側に位置し、前記第１挿入ガイド面６１を通過したメモリスティック４７を案内する第２挿入ガイド面６４と、前記フラッシュメモリカード４７、４８、４９のうち、スマートメディアカード４８を前記スロットケース５１の上部空間に案内するスライド面６２と、前記第１及び第２挿入ガイド面６１、６４又は前記スライド面６２に沿って挿入されたフラッシュメモリカード４７、４８、４９がそれぞれ装着される複数の挿入ガイド６３、６５と、前記複数の挿入ガイド６３、６５に装着されたフラッシュメモリカード４７、４８、４９のピンに対応する接点５６ａ、５６ｂ、５６ｃ、５６ｄ、５６ｅを有する複数の電極５５ａ、５５ｂ、５５ｃ、５５ｄ、５５ｅとを含んでなる。
【００３３】
前記第２挿入ガイド面６４は、前記第１挿入ガイド面６１のみを通過したフラッシュメモリカード４９が前記挿入ガイド６３に装着されると、それ以上の進入を阻止する挿入阻止面の役割をする。
また、前記第２挿入ガイド面６４の左右空間幅は第１挿入ガイド面６１の左右空間幅よりは小さくなければならない。
また、前記第１及び第２挿入ガイド面６１、６４は前記フラッシュメモリカード４７、４９が挿入される方向に対して内側にラウンド処理され、前記スライド面６２は前記フラッシュメモリカード４８が挿入される方向に対して上側にラウンド処理される。
前記スロットケース５１、第１及び第２ガイド面６１、６４、スライド面６２及び複数の挿入ガイド６３、６５は一体的にモールド成形される。
【００３４】
また、前記スロットは、前記スロットケース５１の下部空間に設けられた第１及び第２挿入ガイド面６１、６４から一体的にモールド成形され、挿入されたフラッシュメモリカード４７、４９を支えるカードホールド部５８をさらに含むことができる。
その結果、スロットの前面の挿入孔より小さいフラッシュメモリカード４７、４９が挿入される場合においても、安定にかつ正確に挿入、装着される。
ここで、未説明符号５４ａ、５４ｂ及び５９は半田付けのための端子である。
【００３５】
前記スマートメディアカード４８の幅は３７．３ｍｍ、厚さは１．０６ｍｍであり、セキュアデジタル又はマルチメディアカード４９の幅は２４．３ｍｍ、厚さは２．４ｍｍである。また、メモリスティック４７の幅は２１．７５ｍｍ、厚さは３．１ｍｍであるので、本発明による汎用スロットはこのようなフラッシュメモリカードのサイズに鑑みて製作される。
【００３６】
図１３は本発明の第２実施例によるフラッシュメモリカード用スロットの内部断面図である。図１３に基づき、各フラッシュメモリカードが装着される動作を説明する。
まず、比較的小さいセキュアデジタル又はマルチメディアカード４９が挿入される場合を説明する。前記フラッシュメモリカード４９の挿入に際して、スロットの前面の挿入孔の中央から左右側に偏って挿入されても、正確に中央に挿入できるように、第１挿入ガイド面６１が前記フラッシュメモリカード４９を案内することになる。
その後、第１挿入ガイド６３に正確に挿入されると、阻止面である第２ガイド面６４で止まり、カードホールド部５８により、離脱されないように挿入状態が維持される。そして、第１接点５６ｅに前記フラッシュメモリカード４９の電極が接触される。
【００３７】
一方、メモリスティック４７が挿入される場合は、前述したように、第１挿入ガイド６３に沿って挿入された後、第２ガイド面６４の案内により第２挿入ガイド６５に沿って挿入される。挿入が完了すると、接点５６ｄにメモリスティック４７の電極が接続される。
前記スマートメディアカード４８はほかのフラッシュメモリカード４７、４９に比べて幅が大きいため、カードの挿入時に第１挿入ガイド面６１に沿って挿入されなく、スライド面６２に沿って上昇し、上部空間６６に挿入される。前記カードの挿入が完了すると、スマートメディアカード４８の接点に電極が接続される。
【００３８】
このように、本発明は、一つのスロットをもって多種のフラッシュメモリカードが接続できるようにする。そして、スロットケース、第１及び第２ガイド面、スライド面及び複数の挿入ガイドが一体的にモールド成形されるので、挿入されるフラッシュメモリカードを堅くて安定に接続することができる。
【００３９】
【発明の効果】
以上説明したように、本発明によると、多種のフラッシュメモリカードを、それらの専用スロットを使わなく、スロットケースの簡単な構造変更により、一つのスロットだけで接続することができるので、製品の小型化ができ、経済的である。
【図面の簡単な説明】
【図１】従来技術による５種のフラッシュメモリカードをそれぞれの専用スロットに挿入する例を示す斜視図である。
【図２】従来技術による４種のフラッシュメモリカードをそれぞれの専用スロットに挿入する例を示す斜視図である。
【図３】本発明の第１実施例による汎用スロットに５種のフラッシュメモリカードを挿入する例を示す斜視図である。
【図４】本発明の第１実施例による汎用スロットの左側面図と右側面図である。
【図５】本発明の第１実施例による汎用スロットの平面図である。
【図６】本発明の第１実施例による汎用スロットの底面図である。
【図７】本発明の第１実施例による汎用スロットからドアが除去された状態の正面図である。
【図８】本発明の第１実施例による汎用スロットの内部断面図である。
【図９】本発明の第２実施例による汎用スロットに４種のフラッシュメモリカードを挿入する例を示す斜視図である。
【図１０】本発明の第２実施例による汎用スロットの左側面図と右側面図である。
【図１１】本発明の第２実施例による汎用スロットの平面図である。
【図１２】本発明の第２実施例による汎用スロットからドアが除去された状態の正面図である。
【図１３】本発明の第２実施例による汎用スロットの内部断面図である。
【符号の説明】
１７、４７　メモリスティック
１８　コンパクトフラッシュカード又はマイクロドライブ
１９、４９　セキュアデジタル又はマルチメディアカード
２１、５１　スロットケース
２２、５２　ドア
２５ａ、２５ｂ、２５ｃ、５５ａ、５５ｂ、５５ｃ、５５ｄ、５５ｅ　電極
２６ｂ、２６ｃ、５６ａ、５６ｂ、５６ｃ、５６ｄ、５６ｅ　接点
２７、５７　スプリング
２８、３３、３５、６３、６５　挿入ガイド
３１、６１　第１挿入ガイド面
３２、６２　スライド面
３４、６４　第２挿入ガイド面
４８　スマートメディアカード
【図１】
2004086859.tif 000003
【図２】
2004086859.tif 000004
【図３】
2004086859.tif 000005
【図４】
2004086859.tif 000006
【図５】
2004086859.tif 000007
【図６】
2004086859.tif 000008
【図７】
2004086859.tif 000009
【図８】
2004086859.tif 000010
【図９】
2004086859.tif 000011
【図１０】
2004086859.tif 000012
【図１１】
2004086859.tif 000013
【図１２】
2004086859.tif 000014
【図１３】
2004086859.tif 000015